(57)【要約】【課題】反射型偏光板を使用して一次光源からの出射光の利用効率を向上する構成において、簡易な構成により充分に鋭い指向性を確保することができるようにする。【解決手段】導光板１２の出射面からの出射光の指向性を下凸形状によるプリズムシート１４により補正した後、反射型偏光板１６を介して液晶表示パネル３に供給するバックライト装置２において、プリズムシート１４と反射型偏光板１６との間、プリズムシート１４と導光板との間、又は導光板と該導光板のプリズムシート１４と反対面に配置された反射シートとの間に、１／４波長板１５が設けられる。【選択図】図１
2015173066.tif 000002
【特許請求の範囲】
【請求項１】
導光板の出射面からの出射光の指向性を下凸形状によるプリズムシートにより補正した後、反射型偏光板を介して液晶表示パネルに供給するバックライト装置において、
前記プリズムシートと前記反射型偏光板との間、前記プリズムシートと前記導光板との間、又は前記導光板と該導光板の前記プリズムシートと反対面に配置された反射シートとの間に、１／４波長板が設けられた
バックライト装置。
【請求項２】
前記プリズムシートは、
基材のリタデーション値Ｒｅが２０ｎｍ以下である
請求項１に記載のバックライト装置。
【請求項３】
前記プリズムシート及び１／４波長板が一体化された
請求項１又は請求項２に記載のバックライト装置。
【請求項４】
前記１／４波長板及び前記反射型偏光板が一体化された
請求項１又は請求項２に記載のバックライト装置。
【請求項５】
前記プリズムシート、前記１／４波長板及び前記反射型偏光板が一体化された
請求項１又は請求項２に記載のバックライト装置。
【請求項６】
前記１／４波長板及び前記反射シートが一体化された。
請求項１又は請求項２に記載のバックライト装置。
【請求項７】
請求項１、請求項２、請求項３、請求項４、請求項５、請求項６の何れかに記載のバックライト装置に、液晶表示パネルが積層された
液晶表示装置。
【請求項８】
透明基材の１方の面に凸条が繰り返し作製されてなるプリズムシートの他方の面に、１／４波長板が一体に設けられた
積層体。
【請求項９】
反射型偏光板に、１／４波長板が一体に設けられた
積層体。
【請求項１０】
透明基材の１方の面に凸条が繰り返し作製されてなるプリズムシートの他方の面に、１１／４波長板、反射型偏光板が順次一体に設けられた
積層体。
【請求項１１】
反射シートに、１／４波長板が一体に設けられた
積層体。
【請求項１２】
前記プリズムシートは、
基材のリタデーション値Ｒｅが２０ｎｍ以下である
請求項８又は請求項１０に記載の積層体。
【発明の詳細な説明】
【技術分野】
【０００１】
本発明は、バックライト装置、液晶表示装置及び積層体に関し、例えば一次光源からの出射光を、導光板のエッジ（端面）から導光板に入射して内部伝搬しながら出射面より出射するエッジライト型のバックライト装置、このエッジライト型のバックライト装置を使用した液晶表示装置に関する。
【背景技術】
【０００２】
従来、液晶表示装置では、エッジライト型のバックライト装置等から液晶表示パネルに照明光を供給して所望の画像を表示する。またエッジライト型のバックライト装置では、冷陰極線管等による棒状光源、発光ダイオード等による点状光源により一次光源が構成され、この一次光源の出射光を導光板の端面（エッジ）から導光板に入射して内部伝搬する。導光板には、このように内部伝搬する一次光源の出射光を乱反射、拡散等する工夫が設けられており、これによりこの一次光源の出射光を内部伝搬しながら、徐々に出射面より出射する。エッジライト型のバックライト装置では、導光板からの出射光の指向性を、プリズムシートにより出射面の正面方向に補正して液晶表示パネルに供給する。これによりエッジライト型のバックライト装置では、棒状光源、点状光源による一次光源の出射光を使用して、液晶表示パネルの照明に供する面光源を構成する。
【０００３】
このようなエッジライト型のバックライト装置に関して、特許文献１、２には、導光板の出射面に断面５角形形状による凸条等を繰り返し設けることにより、出射光の指向性を正面方向の鋭い指向性とし、出射光の利用効率を向上する方法が提案されている。
【０００４】
また特許文献３には、直線偏光板に代えて、いわゆる反射型偏光板を配置することにより、それまで直線偏光板で吸収されていたバックライト装置の出射光成分を反射して導光板に再入射する構成が開示されている。この構成によれば、この再入射した出射光を再利用することができ、出射光の利用効率を向上することができる。
【０００５】
また特許文献４には、上凸形状によるプリズムシートを導光板の出射面に配置する構成のバックライト装置において、このプリズムシートと液晶表示パネルとの間に、１／４波長板、反射型偏光板を順次配置する構成が開示されている。この構成の場合、反射型偏光板で反射された偏光成分は、１／４波長板により円偏光に変換されて導光板に再入射することになり、この再入射して導光板の内部で反射する際に円偏光の向きが逆転し、その結果、再度、導光板から出射して反射型偏光板に入射する際には、反射型偏光板を透過する向きの直線偏光により反射型偏光板に入射する。これによりこの構成の場合、反射型偏光板で反射される偏光成分を、積極的に、反射型偏光板を透過する偏光成分に変換し、一段と光の利用効率を向上する。
【０００６】
しかしながらこの特許文献４に開示の構成において、十分なピーク光量、鋭い指向性によりプリズムシートの出射光を液晶表示パネルに供給するためには、プリズムシートの構成が複雑になる問題があり、実用上未だ不十分な問題がある。すなわち単純に断面三角形形状の凸条の繰り返しによりプリズムシートを構成した場合、この凸条の頂角を制御して所望の指向性を確保することになるものの、この場合、ピーク光量を最大値に保持する頂角では、サイドローブ光を充分に抑圧することが困難になる。その結果、結局、凸条の断面形状に工夫を凝らしたり、さらには特許文献４に開示されているように部分的に遮光部を設ける等の工夫が必要になる。
【先行技術文献】
【特許文献】
【０００７】
【特許文献１】特開平８−２５４６０６号公報
【特許文献２】特開平９−５５０５号公報
【特許文献３】特開２０００−２２７５１８号公報
【特許文献４】特開２０１３−４７７９４号公報
【発明の概要】
【発明が解決しようとする課題】
【０００８】
本発明はこのような状況に鑑みてなされたものであり、反射型偏光板を使用して一次光源からの出射光の利用効率を向上する構成において、簡易な構成により充分に鋭い指向性を確保することができるようにし、その結果、高効率でコントラストの高い液晶表示装置を提供することを目的とする。
【課題を解決するための手段】
【０００９】
本発明者は、上記課題を解決するために鋭意研究を重ね、下凸形状によるプリズムシート、１／４波長板、反射型偏光板を順次導光板の出射面に配置する、との着想に至り、本発明を完成するに至った。
【００１０】
具体的には、本発明では、以下のようなものを提供する。
【００１１】
（１）  導光板の出射面からの出射光の指向性を下凸形状によるプリズムシートにより補正した後、反射型偏光板を介して液晶表示パネルに供給するバックライト装置において、
前記プリズムシートと前記反射型偏光板との間、前記プリズムシートと前記導光板との間、又は前記導光板と該導光板の前記プリズムシートと反対面に配置された反射シートとの間に、１／４波長板が設けられたバックライト装置。
【００１２】
（１）によれば、下凸形状によるプリズムシートを使用することにより、上凸形状のプリズムシートを使用する場合に比して、簡易な構成により充分に鋭い指向性を確保することができ、その結果、高効率でコントラストの高い液晶表示装置を提供することができる。
【００１３】
（２）  （１）において、前記プリズムシートは、
基材のリタデーション値Ｒｅが２０ｎｍ以下である。
【００１４】
（２）によれば、プリズムシートの基材の光学異方性を実用上十分に抑圧することができることにより、反射型偏光板により反射された偏光成分を効率良く、反射型偏光板を透過する成分に変換することができる。
【００１５】
（３）  （１）又は（２）において、前記プリズムシート及び１／４波長板が一体化された。
【００１６】
（４）  （１）又は（２）において、前記１／４波長板及び前記反射型偏光板が一体化された。
【００１７】
（５）  （１）又は（２）において、前記プリズムシート、前記１／４波長板及び前記反射型偏光板が一体化された。
【００１８】
（６）  （１）又は（２）において、前記１／４波長板及び前記反射シートが一体化された。
【００１９】
（３）、（４）、（５）、（６）によれば、空気界面を低減して一段と効率を向上することができる。
【００２０】
（７）  （１）、（２）、（３）、（４）、（５）、（６）の何れかに記載のバックライト装置に、液晶表示パネルが積層された液晶表示装置。
【００２１】
（７）によれば、簡易な構成により充分に鋭い指向性を確保することができ、その結果、高効率でコントラストの高い液晶表示装置を提供することができる。
【００２２】
（８）  透明基材の１方の面に凸条が繰り返し作製されてなるプリズムシートの他方の面に、１／４波長板が一体に設けられた積層体。
【００２３】
（９）  反射型偏光板に、１／４波長板が一体に設けられた積層体。
【００２４】
（１０）  透明基材の１方の面に凸条が繰り返し作製されてなるプリズムシートの他方の面に、１／４波長板、反射型偏光板が順次一体に設けられた積層体。
【００２５】
（１１）  反射シートに、１／４波長板が一体に設けられた積層体。
【００２６】
（８）、（９）、（１０）、（１１）によれば、導光板の出射面からの出射光の指向性を下凸形状によるプリズムシートにより補正した後、反射型偏光板を介して液晶表示パネルに供給するバックライト装置に適用して、空気界面を低減して一段と効率を向上することができる。
【００２７】
（１２）  （８）又は（１０）において、
前記プリズムシートは、
基材のリタデーション値Ｒｅが２０ｎｍ以下である。
【００２８】
（１２）によれば、プリズムシートの基材の光学異方性を実用上十分に抑圧することができることにより、反射型偏光板により反射された偏光成分を効率良く、反射型偏光板を透過する成分に変換することができる。
【発明の効果】
【００２９】
本発明によれば、反射型偏光板を使用して一次光源からの出射光の利用効率を向上する構成において、簡易な構成により充分に鋭い指向性を確保することができる。
【図面の簡単な説明】
【００３０】
【図１】本発明の第１実施形態に係る液晶表示装置を示す断面図である。
【図２】図１の液晶表示装置に係るバックライト装置の説明に供する図表である。
【図３】本発明の第２実施形態に係る液晶表示装置を示す断面図である。
【図４】図２の液晶表示装置に係るバックライト装置の説明に供する図である。
【図５】図４とは異なる方向に係る指向性を示す図である。
【図６】図４及び図５とは異なる方向に係る指向性を示す図である。
【図７】本発明の第３実施形態に係る液晶表示装置を示す図である。
【図８】本発明の第４実施形態に係る液晶表示装置を示す図である。
【図９】本発明の第５実施形態に係る液晶表示装置を示す図である。
【発明を実施するための形態】
【００３１】
以下、図面を参照しながら本発明の実施形態を詳述する。
【００３２】
〔第１実施形態〕
図１は、本発明の第１実施形態に係る液晶表示装置の概略構成を示す断面図である。この液晶表示装置１は、バックライト装置２及び液晶表示パネル３を積層して構成される。ここで液晶表示パネル３は、透明電極を作製してなるガラス板４Ａ及び４Ｂにより液晶５を挟持して液晶セル６が構成され、この液晶セル６の入射面及び出射面に直線偏光板７Ａ及び７Ｂがそれぞれ配置される。これにより液晶表示パネル３は、バックライト装置２から供給される照明光を、透明電極の駆動に応じて光強度変調して射出し、所望の画像を表示する。なお液晶表示パネルは、ＴＮ（Ｔｗｉｓｔｅｄ  Ｎｅｍａｔｉｃ）方式、ＶＡ（Ｖｉｒｔｉｃａｌ  Ａｌｉｇｎｍｅｎｔ）方式、ＩＰＳ（Ｉｎ−Ｐｌａｃｅ−Ｓｗｉｔｃｈｉｎｇ）等、種々の構成を広く適用することができる。
【００３３】
バックライト装置２は、いわゆるエッジライト型のバックライト装置であり、一次光源（この実施形態では、冷陰極線管による棒状光源である）１１が、導光板１２の端面（以下、入射面と呼ぶ）に沿って配置され、この入射面より一次光源１１の出射光を導光板１２に入射する。これによりバックライト装置２は、この一次光源１１の出射光を導光板１２で内部伝搬しながら、導光板１２の出射面より出射する。
【００３４】
バックライト装置２は、導光板１２の裏面（液晶表示パネル３とは逆側面）に、反射シート１３が配置され、この反射シート１３により導光板１２の裏面より漏れ出す導光板１２の内部伝搬光を導光板１２に再入射し、光の利用効率を向上する。なお反射シートは、各種のフィルム材に銀等の高反射金属材料を蒸着したフィルム材、白色の樹脂材料によるシート材、正反射部材、乱反射部材等を広く適用することができるが、輝度及び指向性を高く維持するには高反射性、正反射部材が好適である。
【００３５】
またバックライト装置２は、導光板１２の出射面に、下凸形状のプリズムシート１４、１／４波長板１５、反射型偏光板１６が順次配置される。ここで導光板１２の出射面から出射される内部伝搬光は、入射面から入射面と対向する面に向かって内部伝搬しながら、臨界角以下の成分が出射面より出射されることにより、この内部伝搬方向に斜めに傾いた指向性により出射される。
【００３６】
プリズムシート１４は、この内部伝搬方向に斜めに傾いた指向性により導光板１２から出射される出射光の指向性を、出射面の正面方向に補正する。反射型偏光板１６は、１／４波長板１５を透過して入射するプリズムシート１４からの出射光について、続く液晶表示パネル３の直線偏光板７Ａを透過する偏光成分を透過し、これと直交する直線偏光板７Ａで吸収される偏光成分を反射する。１／４波長板１５は、この反射型偏光板１６で反射した直線偏光による偏光成分に１／４波長分の位相差を付与することにより、この直線偏光を円偏光に変換して出射し、これにより光の利用効率を向上する。
【００３７】
導光板１２は、アクリル等による透明樹脂を使用して略板形状により作製され、出射面に、断面三角形形状の凸条、又は特開平８−２５４６０６号公報、特開平９−５５０５号公報に開示の断面５角形形状による凸条が、入射面にほぼ垂直に延長するように、かつ延長方向と直交する方向に出射面に繰り返し作製され、出射面に対向する反射面には入射面にほぼ平行に延長し、入射面からの導光を出射面法線方向に立ち上げる作用をもつ斜面が、延長方向と直交する方向に繰り返し作製されており、これによりサイドローブ光を抑圧した鋭い指向性により内部伝搬光を出射できるように構成される。なおこの凸条にあっては、当該導光板の作製に係る射出成型や押出し成型により本体部分と一体に作製してもよく、紫外線硬化性樹脂等を使用した賦型処理により透明板状部材に作製するようにしてもよい。
【００３８】
しかしてこのようにして下凸形状のプリズムシート１４、１／４波長板１５、反射型偏光板１６を順次導光板１２の出射面に配置する場合には、簡易な構成によるプリズムシートを使用して、十分なピーク光量により、さらには鋭い指向性により液晶表示パネル３に光を供給することができる。その結果、高効率でコントラストの高い液晶表示装置を提供することができる。
【００３９】
すなわち上凸形状のプリズムシートを使用する場合、断面三角形形状の凸状に係る一次光源側の斜面（以下、光源側斜面と呼ぶ）と、これとは逆側の斜面（以下、逆側斜面と呼ぶ）との両方に、導光板からの出射光がプリズムシートを透過して入射することになる。しかしながらこの２つの斜面への入射光が内部伝搬方向に斜めに傾いた指向性であることにより、逆側斜面に入射する光のみ、出射面の正面方向の指向性により出射され、光源側斜面に入射する光については、所望する方向に指向性を設定し得ず、その結果、この光源側斜面の入射光がサイドローブ光を増大させる原因となる。これにより上凸プリズムシートを使用する場合には、結局、この光源側斜面については、遮光して導光板からの出射光が入射しないようにすることが必要となり、構成が複雑になる。また逆側斜面の透過光についても、正面方向のピーク光量を最大にする傾きと、サイドローブ光の光量を最も抑圧できる傾きとが異なり、これにより凸条の断面形状自体種々に工夫することが必要になる。
【００４０】
これに対して下凸形状のプリズムシートにあっては、導光板からの出射光が、光源側斜面を透過してプリズムシートに入射した後、逆側斜面で反射して出射面の正面方向に補正されることにより、何ら遮光部を設けなくても、正面方向に鋭い指向性により導光板からの光を出射することができる。
【００４１】
このような上凸形状のプリズムシートによるバックライト装置に１／４波長板、反射型偏光板を適用する場合（特許文献４の構成である）、反射型偏光板で反射した導光板への戻り光までも、プリズムシートに設けた遮光部により遮光されることになり、一段と遮光部による光量損失が大きくなる。
【００４２】
これに対してこの実施形態のように、下凸形状のプリズムシートを１／４波長板、反射型偏光板と組み合わせて使用する場合、反射型偏光板で反射した導光板への戻り光についても、遮光部の影響を有効に回避することができ、上凸形状のプリズムシートによる場合に比して光の利用効率を向上することができる。
【００４３】
なおこの実施形態では、上述したように導光板の出射面に凸条を設けて指向性を鋭いものとするように設定しており、このような導光板と組み合わせて反射型偏光板を使用する場合、反射型偏光板を透過して液晶表示パネルに出射されるまでの間、反射型偏光板で反射された偏光成分は、何度となく、この導光板の凸条を透過することになる。その結果、液晶表示パネルへの入射光は、凸条の延長方向に垂直な方向に拡がりを持つ光となる。
【００４４】
しかしながらこの実施形態のように、１／４波長板を設ける場合には、積極的に、反射型偏光板で反射した偏光成分を、反射偏光板を透過する偏光成分に変換できることにより、導光板の凸条を透過する回数を低減することができ、その結果、凸条の延長方向に垂直な方向の拡がりを抑制することができる。
【００４５】
〔プリズムシート及び１／４位相差板〕
この実施形態において、プリズムシート１４は、紫外線硬化性樹脂を使用した賦型処理により、透明フィルム材による基材１４Ａに、導光板１２の入射面に沿って延長する断面三角形形状による凸条１４Ｂが、凸条１４Ｂの延長方向と直交する方向に繰り返し作製される。なお紫外線硬化性樹脂を使用する代わりに、熱硬化性樹脂等を使用して作製してもよく、さらには基材１４Ａを直接金型によりプレスして作製しても良い。プリズムシート１４は、この基材１４Ａに、アクリル等の、面内リタデーション値Ｒｅが２０ｎｍ以下である材料、より好ましくはリタデーション値Ｒｅが１０ｎｍ以下である材料が適用され、これによりバックライト装置２は、反射型偏光板で反射してプリズムシート１４を透過する光については、位相差が大きく変化しないようにし、これにより光の利用効率の低下を防止する。
【００４６】
またこの実施形態において、１／４波長板１５は、プリズムシート１４に一体に作製され、これによりプリズムシート１４との間における空気との界面による損失を有効に回避し、光の利用効率を向上させる。
【００４７】
なおこの一体化については、転写法により１／４波長板１５をプリズムシート１４に一体に作製する場合、基材１４Ａに１／４波長板１５に係る位相差層を作製した後、凸条１４Ｂを作製する場合、基材１４Ａに凸条１４Ｂを作製した後、１／４波長板１５に係る位相差層を作製する場合等、種々の一体化の手法を適用することができる。
【００４８】
ここで転写法は、例えば基材の上に所望の層を形成する場合に、この層を直接当該基材上に形成するのでは無く、一旦、離型性の支持体上に剥離可能に該層を積層形成して転写体を作製した後、工程、需要等に応じて、該支持体上に形成した層を、最終的に該層を積層すべき基材（被転写基材）上に接着、積層し、その後、該支持体を剥離除去することにより、該基材上に所望の層を形成する方法である。この転写法による場合、各種のフィルム材による支持体に、配向膜を作製した後、位相差層に係る塗工液を塗工、乾燥して紫外線を照射することにより、配向膜の配向規制力により位相差層に係る液晶材料を配向させた状態で固化し、これにより位相差層を作製する。続いて、この位相差層を紫外線硬化性樹脂層等の接着層により基材１４Ａに貼り付け、その後、支持体を剥離する。転写法により作製する場合、事前に基材１４Ａに凸条１４Ｂを作製してもよく、位相差層を作製した後に凸条１４Ｂを作製してもよい。
【００４９】
また基材１４Ａに１／４波長板１５に係る位相差層を作製した後、凸条１４Ｂを作製する場合、基材１４Ａに配向膜を作製した後、位相差層に係る塗工液を塗工、乾燥して紫外線を照射することにより位相差層を作製し、その後、賦型処理により凸条１４Ｂを作製する。
【００５０】
基材１４Ａに凸条１４Ｂを作製した後、１／４波長板１５に係る位相差層を作製する場合、賦型処理により基材に凸条を作製した後、基材１４Ａに配向膜を作製した後、位相差層に係る塗工液を塗工、乾燥して紫外線を照射することにより位相差層を作製する。
【００５１】
なお位相差層に係る配向膜は、光配向膜を適用して作製する場合、微細なライン状凹凸形状の賦型処理により作製する場合、表面のラビング処理により作製する場合等、種々の作製手法を広く適用することができる。
【００５２】
図２は、バックライト装置の評価結果を示す図表である。この図２において、比較例１は、断面５角形形状による凸条を出射面に配置した導光板（上述した導光板である）に、アクリル基材による下凸形状のプリズムシートを配置し、１／４位相差板を設けることなく、反射型偏光板を設けたものである。実施例１は、断面５角形形状による凸条を出射面に配置した上述した導光板による上述の実施形態のバックライト装置である。比較例２は、実施例１によるバックライト装置において、１／４位相差板の進相軸方向を反射型偏光板の透過軸方向に設定した場合である。比較例３、４、５は、それぞれ比較例１、実施例、比較例２の構成において、アクリル材に代えて、マット面処理したＰＥＴ（Ｐｏｌｙｅｔｈｙｌｅｎｅ  ｔｅｒｅｐｈｔｈａｌａｔｅ）材をプリズムシートの基材に適用した場合である。また比較例６、実施例２は、それぞれ比較例１、実施例の構成において、断面５角形形状の凸条に代えて、頂角が９０度による断面三角形形状の凸条を設けた構成である。
【００５３】
なおこれら図２の構成において、１／４波長板は、プリズムシートに代えて、反射型偏光板に接着により一体化した。また反射シートには、銀を蒸着したフィルム材であるいわゆる銀蒸着フィルムを適用した。またプリズムシートの基材のリタデーション値Ｒｅは、１８ｎｍであった。
【００５４】
図２において、ピーク輝度は、実測による計測値と共に、比較例１のピーク輝度実測値を１００％とした相対値により各計測値を示す。半値幅角における導光方向は、入射面からこの入射面に対向する面に向かう方向（内部伝搬方向）であり、導光垂直方向は、導光方向と直交する方向である。
【００５５】
この図２では、比較例１、２と実施例１との比較、比較例３、５と比較例４との比較、比較例６と実施例２との比較により、１／４波長板を設けて反射型偏光板の反射防止物品光を円偏光に変換することにより正面方向の出射光量が増大（ピーク輝度）することが判る。また比較例３〜５と比較例１、実施例１、比較例２との対比により、プリズムシートのリタデーション値Ｒｅを小さくして、正面方向の光量を増大し、さらには指向性を鋭くできることが判る。
【００５６】
この実施形態では、導光板の出射面に、下凸形状のプリズムシート、１／４波長板、反射型偏光板を順次設けることにより、反射型偏光板を使用して一次光源からの出射光の利用効率を向上する構成において、簡易な構成により充分に鋭い指向性を確保することができ、その結果、高効率でコントラストの高い液晶表示装置を提供することができる。
【００５７】
またプリズムシートと１／４波長板とを一体化することにより、空気界面による損失を低減して一段と出射光量を増大させることができる。
【００５８】
〔第２実施形態〕
図３は、図１との対比により本発明の第２実施形態に係る液晶表示装置を示す図である。この実施形態の液晶表示装置２１は、バックライト装置２に代えてバックライト装置２２が配置される点を除いて、第１実施形態の液晶表示装置１と同一に構成される。またバックライト装置２２は、プリズムシート１４に代えて、反射型偏光板１６と一体に１／４波長板１５が配置される点を除いて、バックライト装置２と同一に構成される。
【００５９】
ここでこの一体化については、転写法により反射型偏光板１６と一体に１／４波長板１５を設けるようにしても良く、反射型偏光板１６に１／４波長板１５に係る位相差素を設けるようにしてもよく、さらには紫外線硬化性樹脂等による接着により反射型偏光板１６に１／４波長板１５を貼り付けるようにしてもよい。
【００６０】
なお転写法による場合には、各種のフィルム材による支持体に、配向膜を作製した後、位相差層に係る塗工液を塗工、乾燥して紫外線を照射することにより、配向膜の配向規制力により位相差層に係る液晶材料を配向させた状態で固化し、これにより支持体上に位相差層を作製する。続いて、この位相差層を紫外線硬化性樹脂層等の接着層により反射型偏光板１６に貼り付け、その後、支持体を剥離する。なお転写法により一体化する場合、このように事前に反射型偏光板１６を作製し、１／４波長板に係る位相差層を転写するようにしてもよく、１／４波長板に係る位相差層を、反射型偏光板１６に係る基材に転写した後、反射型偏光板１６を作製してもよい。
【００６１】
図４、図５、図６は、内部伝搬方向、内部伝搬方向と４５度の角度を成す方向、内部伝搬方向と直交する方向についての指向性を示す特性曲線図である。この図４〜図６において、符号Ｌ１は、実施例１の計測結果であり、符号Ｌ２は、実施例１の構成において、反射型偏光板と１／４位相差板とを別体とした構成の計測結果であり、符号Ｌ３は、比較例１の計測結果である。
【００６２】
この図４〜図６の構成によれば、１／４波長板を反射型偏光板と一体化することによる空気界面の減少によっても、正面方向の出射光量が増大することが判る。
【００６３】
〔第３実施形態〕
図７は、図１との対比により本発明の第３実施形態に係る液晶表示装置を示す図である。この実施形態の液晶表示装置３１は、バックライト装置２に代えてバックライト装置３２が配置される点を除いて、第１実施形態の液晶表示装置１と同一に構成される。またバックライト装置３２は、プリズムシート１４及び１／４波長板１５に加えて反射型偏光板１６が一体化されて配置される点を除いて、バックライト装置２と同一に構成される。
【００６４】
ここでプリズムシート１４、１／４波長板１５、反射型偏光板１６の一体化にあっては、第１実施形態について上述したと同様にして始めにプリズムシート１４、１／４波長板１５を一体化した後、紫外線硬化性樹脂等の接着剤により反射型偏光板１６を一体化しても良く、また第２実施形態について上述したと同様にして１／４波長板１５、反射型偏光板１６を一体化した後、紫外線硬化性樹脂等の接着剤によりプリズムシート１４を一体化しても良い。
【００６５】
この実施形態によれば、さらに反射型偏光板を一体化した後により、さらに一段と空気界面による損失を低減することができ、一段と効率良く導光板の出射光を液晶表示パネルに提供することができる。
【００６６】
〔第４実施形態〕
図８は、図１との対比により本発明の第４実施形態に係る液晶表示装置を示す図である。この実施形態の液晶表示装置４１は、バックライト装置２に代えてバックライト装置４２が配置される点を除いて、第１実施形態の液晶表示装置１と同一に構成される。またバックライト装置４２は、プリズムシート１４の導光板１２側に、プリズムシート１４と別体に１／４波長板４５が配置される点を除いて、バックライト装置２と同一に構成される。
【００６７】
ここで１／４波長板４５は、透明フィルム材に配向膜を作製した後、位相差層を作製して構成され、この位相差層の厚みの設定により、斜めに傾いた指向性により導光板１２から出射される導光板１２の出射光に対して１／４波長の位相差を付与するように構成される。
【００６８】
これによりこの実施形態では、反射型偏光板で反射された偏光成分を、プリズムシートを透過した後に円偏光に変換する。この実施形態のように反射型偏光板で反射された偏光成分を、プリズムシートを透過した後に円偏光に変換するようにしても、第１実施形態と同様の効果を得ることができる。
【００６９】
〔第５実施形態〕
図９は、図１との対比により本発明の第５実施形態に係る液晶表示装置を示す図である。この実施形態の液晶表示装置５１は、バックライト装置２に代えてバックライト装置５２が配置される点を除いて、第１実施形態の液晶表示装置１と同一に構成される。またバックライト装置５２は、反射シート１３の導光板１２側に、反射シート１３と一体に１／４波長板５０が配置される点を除いて、バックライト装置２と同一に構成される。
【００７０】
ここで１／４波長板５０は、透明フィルム材に配向膜を作製した後、位相差層を作製して構成され、この位相差層の厚みの設定により、斜めに傾いた指向性により導光板１２から反射シート側に出射される出射光に対して１／４波長の位相差を付与するように構成される。
【００７１】
これによりこの実施形態では、反射型偏光板で反射された偏光成分を、プリズムシート及び導光板を透過した後に円偏光に変換する。この実施形態のように反射型偏光板で反射された偏光成分を、導光板を透過した後に円偏光に変換するようにしても、第１実施形態と同様の効果を得ることができる。
【００７２】
〔第６実施形態〕
この実施形態では、上述の第１〜第４の実施形態において、１／４波長板の導光板側に＋Ｃプレートを配置し、この＋Ｃプレートにより視野角特性を向上する。ここで＋Ｃプレートは、１／４波長板と一体に設けるようにしてよく、導光板側の他の部材と一体に設けるようにしてもよい。
【００７３】
この実施形態のように＋Ｃプレートを更に設ける場合であっても、上述の実施形態と同様の効果を得ることができる。
【００７４】
〔他の実施形態〕
以上、本発明の実施に好適な具体的な構成を詳述したが、本発明は、本発明の趣旨を逸脱しない範囲で、上述の実施形態の構成を種々に変更し、さらには組み合わせることができる。
【００７５】
すなわち上述の第１実施形態では、プリズムシートと１／４波長板とを一体化する場合について述べたが、本発明はこれに限らず、実用上十分な特性を確保できる場合には、別体としても良く、また反射型偏光板と１／４波長板とを一体化してもよい。
【符号の説明】
【００７６】
１、２１、３１、４１    液晶表示装置
２、２２、３２、４２    バックライト装置
３    液晶表示パネル
４Ａ、４Ｂ    ガラス板
５    液晶
６    液晶セル
７Ａ、７Ｂ    直線偏光板
１１    一次光源
１２    導光板
１３    反射シート
１４    プリズムシート
１５、４５    １／４波長板
１６    反射型偏光板
【図１】
2015173066.tif 000003
【図２】
2015173066.tif 000004
【図３】
2015173066.tif 000005
【図４】
2015173066.tif 000006
【図５】
2015173066.tif 000007
【図６】
2015173066.tif 000008
【図７】
2015173066.tif 000009
【図８】
2015173066.tif 000010
【図９】
2015173066.tif 000011